(57)【要約】【課題】利便性を向上できる包装袋の使用方法及び蓋材を提供する。【解決手段】内面に熱接着性樹脂層３２を有して対向配置される一対のシート２、３の周部が熱接着性樹脂層３２を熱接着した強シール部４により封止される包装袋１において、対向する熱接着性樹脂層３２を熱接着した易剥離性の弱シール部５を介して隔離される第１収納室６及び第２収納室７を備え、シート２、３の少なくとも一方が熱接着性樹脂層３２を含むガス透過性の内層部３１と内層部３１の外面に積層されるガスバリア性の外層部３５とを有し、内層部３１と外層部３５の間が易剥離性を有する。【選択図】図５
2019127276.tif 000002
【特許請求の範囲】
【請求項１】
内面に熱接着性樹脂層を有して対向配置される一対のシートの周部が前記熱接着性樹脂層を熱接着した強シール部により封止される包装袋において、対向する前記熱接着性樹脂層を熱接着した易剥離性の弱シール部を介して隔離される第１収納室及び第２収納室を備え、前記シートの少なくとも一方が前記熱接着性樹脂層を含むガス透過性の内層部と前記内層部の外面に積層されるガスバリア性の外層部とを有し、前記内層部と前記外層部の間が易剥離性を有することを特徴とする包装袋。
【請求項２】
前記シートの少なくとも一方が透明であることを特徴とする請求項１に記載の包装袋。
【請求項３】
一方の前記シートが透明蒸着膜から成るバリア層を有し、他方の前記シートが金属箔から成るバリア層を有することを特徴とする請求項２に記載の包装袋。
【請求項４】
一対の前記シートの両方が前記内層部及び前記外層部を有し、前記内層部と前記外層部の間が易剥離性を有することを特徴とする請求項１〜請求項３のいずれかに記載の包装袋。
【請求項５】
前記内層部が前記外層部との境界面上に未延伸の樹脂から成る第１剥離層を有し、前記外層部が前記内層部との境界面上に表面を未処理の延伸樹脂フィルムから成る第２剥離層を有することを特徴とする請求項１〜請求項４のいずれかに記載の包装袋。
【請求項６】
前記第１剥離層の厚みが７μｍ〜３０μｍであり、密度が０．９１ｇ／ｃｍ3〜０．９３ｇ／ｃｍ3であることを特徴とする請求項５に記載の包装袋。
【請求項７】
前記内層部と前記外層部との間の接着強度が０．０５Ｎ／１５ｍｍ〜１．５Ｎ／１５ｍｍであることを特徴とする請求項１〜請求項６のいずれかに記載の包装袋。
【請求項８】
前記シートのコーナーに貼着して外方に突出する剥離用タブを備えたことを特徴とする請求項１〜請求項７のいずれかに記載の包装袋。
【請求項９】
前記シートのコーナーの前記強シール部上を横断して外面から前記外層部を貫通するハーフカットを設けたことを特徴とする請求項１〜請求項７のいずれかに記載の包装袋。
【請求項１０】
前記シートがコーナーから突出する突出部を有し、前記強シール部の外側で前記突出部を横断して内面から前記内層部を貫通するハーフカットを設けたことを特徴とする請求項１〜請求項７のいずれかに記載の包装袋。
【請求項１１】
前記第１収納室に収納されるＡ剤及び前記第２収納室に収納されるＢ剤の少なくとも一方が液状であり、前記Ａ剤及び前記Ｂ剤は混合により芳香性、消臭性または防虫性のガスを揮散することを特徴とする請求項１〜請求項１０のいずれかに記載の包装袋。
【発明の詳細な説明】
【技術分野】
【０００１】
本発明は、内容物から揮散したガスを放出できる包装袋に関する。
【背景技術】
【０００２】
従来の包装袋は特許文献１に開示される。この包装袋は対向する積層体の周部を熱接着され、揮発性物質の内容物を封入する。積層体はヒートシール性を有するガス透過性フィルムの外面にガスバリア性フィルムを剥離容易に積層して形成される。
【０００３】
上記構成の包装袋において、使用者が外面に配されるガスバリア性フィルムを剥離すると、内容物から揮散したガスがガス透過性フィルムを透過して放出される。これにより、周囲に芳香性等の雰囲気を形成することができる。
【先行技術文献】
【特許文献】
【０００４】
【特許文献１】実公昭６０−１７２７号公報（第１頁〜第３頁、第１図）
【発明の概要】
【発明が解決しようとする課題】
【０００５】
上記従来の包装袋によると、内容物を包装した後に使用者が入手するまで長期間保存される場合があるため、内容物が長期安定性の高い物質に限られる。しかしながら、安定性が低く変質しやすい揮発性物質が高い芳香性能等を備える場合があり、揮発性物質の変質を防止できる包装袋が望まれる。
【０００６】
本発明は、揮発性物質の変質を防止して揮発性物質から揮散したガスを放出できる包装袋を提供することを目的とする。
【課題を解決するための手段】
【０００７】
上記目的を達成するために本発明は、内面に熱接着性樹脂層を有して対向配置される一対のシートの周部が前記熱接着性樹脂層を熱接着した強シール部により封止される包装袋において、対向する前記熱接着性樹脂層を熱接着した易剥離性の弱シール部を介して隔離される第１収納室及び第２収納室を備え、前記シートの少なくとも一方が前記熱接着性樹脂層を含むガス透過性の内層部と前記内層部の外面に積層されるガスバリア性の外層部とを有し、前記内層部と前記外層部の間が易剥離性を有することを特徴としている。
【０００８】
この構成によると、第１収納室及び第２収納室の一方または両方を押圧すると内圧上昇によって弱シール部が剥離する。これにより、第１収納室及び第２収納室に収納される内容物が混合され、化学反応等により揮発性物質が生成される。次に、外層部が内層部から剥離されると、揮発性物質から揮散したガスがガス透過性の内層部を介して外部に放出される。
【０００９】
また本発明は上記構成の包装袋において、前記シートの少なくとも一方が透明であることを特徴としている。
【００１０】
また本発明は上記構成の包装袋において、一方の前記シートが透明蒸着膜から成るバリア層を有し、他方の前記シートが金属箔から成るバリア層を有することを特徴としている。
【００１１】
また本発明は上記構成の包装袋において、一対の前記シートの両方が前記内層部及び前記外層部を有し、前記内層部と前記外層部の間が易剥離性を有することを特徴としている。
【００１２】
また本発明は上記構成の包装袋において、前記内層部が前記外層部との境界面上に未延伸の樹脂から成る第１剥離層を有し、前記外層部が前記内層部との境界面上に表面を未処理の延伸樹脂フィルムから成る第２剥離層を有することを特徴としている。
【００１３】
また本発明は上記構成の包装袋において、前記第１剥離層の厚みが７μｍ〜３０μｍであり、密度が０．９１ｇ／ｃｍ3〜０．９３ｇ／ｃｍ3であることを特徴としている。
【００１４】
また本発明は上記構成の包装袋において、前記内層部と前記外層部との間の剥離強度が０．０５Ｎ／１５ｍｍ〜１．５Ｎ／１５ｍｍであることを特徴としている。
【００１５】
また本発明は上記構成の包装袋において、前記シートのコーナーに貼着して外方に突出する剥離用タブを備えたことを特徴としている。
【００１６】
また本発明は上記構成の包装袋において、前記シートのコーナーの前記強シール部上を横断して外面から前記外層部を貫通するハーフカットを設けたことを特徴としている。
【００１７】
また本発明は上記構成の包装袋において、前記シートがコーナーから突出する突出部を有し、前記強シール部の外側で前記突出部を横断して内面から前記内層部を貫通するハーフカットを設けたことを特徴としている。
【００１８】
また本発明は上記構成の包装袋において、前記第１収納室に収納されるＡ剤及び前記第２収納室に収納されるＢ剤の少なくとも一方が液状であり、前記Ａ剤及び前記Ｂ剤は混合により芳香性、消臭性または防虫性のガスを揮散することを特徴としている。
【発明の効果】
【００１９】
本発明によると、易剥離性の弱シール部を介して第１収納室及び第２収納室が隔離され、シートのガス透過性の内層部とガスバリア性の外層部の間が易剥離性を有する。このため、弱シール部の剥離により第１、第２収納室の内容物を混合して揮発性物質を生成し、揮発性物質から揮散したガスが外層部の剥離により内層部の表面から放出される。これにより、複数の安定性の高い内容物を長期保存して使用時に揮発性物質を生成することができる。従って、揮発性物質の安定性が低い場合でも揮発性物質の変質を防止することができる。
【図面の簡単な説明】
【００２０】
【図１】本発明の第１実施形態の包装袋を示す正面図
【図２】本発明の第１実施形態の包装袋を示す側面断面図
【図３】本発明の第１実施形態の包装袋の前面シート及び背面シートの層構成を示す断面図
【図４】本発明の第１実施形態の包装袋の剥離用タブを示す平面図
【図５】本発明の第１実施形態の包装袋の使用時の状態を示す側面断面図
【図６】本発明の第２実施形態の包装袋を示す側面断面図
【図７】本発明の第２実施形態の包装袋の前面シート及び背面シートの層構成を示す断面図
【図８】本発明の第３実施形態の包装袋を示す側面断面図
【図９】本発明の第３実施形態の包装袋の前面シート及び背面シートの層構成を示す断面図
【図１０】本発明の第４実施形態の包装袋の背面シートの層構成を示す断面図
【発明を実施するための形態】
【００２１】
＜第１実施形態＞
以下に図面を参照して本発明の実施形態を説明する。図１、図２は第１実施形態の包装袋１の正面図及び側面断面図を示している。包装袋１は対向する一対の前面シート２及び背面シート３を備えている。
【００２２】
前面シート２及び背面シート３は熱接着性樹脂層３２（図３参照）を有した積層体３０（図３参照）から成っている。前面シート２及び背面シート３の四方の周部は熱接着性樹脂層３２を熱接着した強シール部４により封止される。積層体３０を二つ折りし、前面シート２及び背面シート３の三方の周部を強シール部４により封止してもよい。
【００２３】
包装袋１には内容物であるＡ剤及びＢ剤をそれぞれ収納する第１収納室６及び第２収納室７が設けられる。第１収納室６と第２収納室７とは対向する熱接着性樹脂層３２を熱接着した易剥離性の弱シール部５を介して隔離される。
【００２４】
Ａ剤及びＢ剤はガスバリアされることで長期間変質の少ない安定性の高い液体の物質から成っている。Ａ剤及びＢ剤を混合すると化学反応等によって揮発性物質が生成され、揮発性物質は芳香性、消臭性、殺虫性等を有するガスを揮散する。Ａ剤及びＢ剤は少なくとも一方が液状であればよい。即ち、Ａ剤及びＢ剤の一方または両方がゾル状でもよく、Ａ剤及びＢ剤の一方が液状で他方が固体でもよい。
【００２５】
前面シート２及び背面シート３の一のコーナーの外面上には剥離用タブ１０が貼着される。剥離用タブ１０は強シール部４の外方に突出する。
【００２６】
図３は前面シート２及び背面シート３の層構成を示す断面図である。前面シート２及び背面シート３は同じ積層体３０により形成される。積層体３０は内面側に内層部３１が配され、内層部３１の外面に外層部３５が積層される。
【００２７】
内層部３１は内面側から順に熱接着性樹脂層３２、第１剥離層３３が積層される。熱接着性樹脂層３２は所定の高シール温度で完全シール機能を発現し、高シール温度よりも低温の低シール温度で易剥離機能（イージーピール）を発現する。対向する熱接着性樹脂層３２を高シール温度で熱接着して強シール部４（図１参照）が形成され、低シール温度で熱接着して弱シール部５（図１参照）が形成される。これにより、弱シール部５は易剥離性を有する。
【００２８】
熱接着性樹脂層３２は例えば、直鎖状低密度ポリエチレンとエチレン系アイオノマー樹脂とを積層した未延伸の樹脂フィルムにより形成される。熱接着性樹脂層３２の厚みは例えば、５０μｍである。
【００２９】
第１剥離層３３はポリエチレン等の未延伸の樹脂から成り、熱接着性樹脂層３２と後述する外層部３５との間に樹脂を押出して形成される。第１剥離層３３の厚みは例えば７μｍ〜３０μｍであり、密度は例えば、０．９１ｇ／ｃｍ3〜０．９３ｇ／ｃｍ3である。
【００３０】
熱接着性樹脂層３２及び第１剥離層３３が未延伸の樹脂により形成されるため、内層部３１はガス透過性を有している。これにより、後述するように外層部３５を剥離した際に内層部３１を介してガスが放出される。
【００３１】
この時、第１剥離層３３の厚みが３０μｍよりも大きいと、後述する第２剥離層３６との接着強度が強くなり、易開封性が得られない。また、内層部３１のガス透過性が低下して十分なガスが放出されない。第１剥離層３３の密度が０．９３ｇ／ｃｍ3よりも大きい場合も同様に、内層部３１のガス透過性が低下して十分なガスが放出されない。
【００３２】
また、第１剥離層３３の厚みが７μｍよりも小さいと、後述する第２剥離層３６との接着強度が弱くなり過ぎて十分な接着強度が得られない。第１剥離層３３の密度が０．９１ｇ／ｃｍ3よりも小さい場合も同様に、第２剥離層３６との間で所望の接着強度が得られない。
【００３３】
外層部３５は内面側から順に第２剥離層３６、基材層３８が積層される。基材層３８はポリエチレンテレフタレート等の樹脂フィルムにより形成される。基材層３８の内面上には酸化アルミニウム、シリカ等の酸化物の透明蒸着膜から成るバリア層３８ａが設けられる。バリア層３８ａの内面上には印刷により印刷層３８ｂが設けられる。バリア層３８ａ及び印刷層３８ｂを含む基材層３８の厚みは例えば、１３μｍに形成される。
【００３４】
バリア層３８ａによって外層部３５は水蒸気、酸素等のガスに対してガスバリア性を有している。このため、第１、第２収納室６、７への水蒸気、酸素等の侵入や、Ａ剤またはＢ剤に含まれる水分の漏出が防止される。これにより、Ａ剤及びＢ剤の変質を防止し、内容物を長期保存することができる。
【００３５】
第２剥離層３６はポリエチレンテレフタレート等の延伸樹脂フィルムから成っている。延伸樹脂フィルムにより外層部３５のバリア性をより向上することができる。また、第２剥離層３６はドライラミネートによりウレタン系接着剤等の接着層３７を介して基材層３８に接着される。第２剥離層３６の厚みは例えば、１２μｍに形成される。第２剥離層３６の内面側の表面はコロナ処理等の表面処理が未処理の未処理面になっている。
【００３６】
外層部３５は第１剥離層３３を形成する押出し樹脂によって内層部３１と接着される。外層部３５の内面の表面は第２剥離層３６の未処理面であるため、未延伸の第１剥離層３３と第２剥離層３６との間の接着強度が弱い。このため、積層体３０は第１剥離層３３と第２剥離層３６との間の剥離面Ｄ上で易剥離性を有し、内層部３１から外層部３５を剥離することができる。
【００３７】
第１剥離層３３と第２剥離層３６との間の接着強度は０．０５Ｎ／１５ｍｍ〜１．５Ｎ／１５ｍｍに形成される。接着強度が０．０５Ｎ／１５ｍｍよりも低いと包装袋１の搬送時や保管時に外層部３５が剥離する可能性がある。接着強度が１．５Ｎ／１５ｍｍよりも高いと外層部３５の剥離が困難になる。
【００３８】
図４は剥離用タブ１０の平面図を示している。剥離用タブ１０は紙または樹脂フィルムから成り、折り線１３に対して対称な前面部１１及び背面部１２を有している。折り線１３はミシン目の切込みにより形成される。前面部１１及び背面部１２の一面の図中、下部には粘着剤１４が設けられる。
【００３９】
剥離用タブ１０は折り線１３上で二つ折りされ、前面部１１及び背面部１２がそれぞれ前面シート２及び背面シート３（図２参照）の外層部３５上に貼着される。剥離用タブ１０を折り線１３上で切断して前面部１１及び背面部１２を互いに離れる方向に引くと、剥離用タブ１０が貼着された外層部３５を剥離することができる。
【００４０】
上記構成の包装袋１において、第１収納室６に押圧力Ｐ（図２参照）が加えられると、第１収納室６の内圧が上昇する。これにより、図５に示すように易剥離性の弱シール部５が剥離され、Ａ剤が第２収納室７に流入する。このため、Ａ剤とＢ剤とが混合され、揮発性物質が生成される。尚、第２収納室７に押圧力Ｐを加えて弱シール部５を剥離してもよい。
【００４１】
次に、剥離用タブ１０の前面部１１及び背面部１２がそれぞれ摘持され、折り線１３を切断して互いに離れる方向に引かれる。これにより、図５に一点鎖線で示すように、前面シート２及び背面シート３の外層部３５が易剥離性の剥離面Ｄ（図３参照）上で剥離される。
【００４２】
外層部３５の剥離によって内層部３１の表面が露出し、揮発性物質から揮散するガスがガス透過性の内層部３１を透過して外部に放出される。これにより、包装袋１の周囲に芳香性、消臭性、防虫性等のガスの雰囲気が形成される。
【００４３】
本実施形態によると、易剥離性の弱シール部５を介して第１、第２収納室６、７が隔離される。また、前面シート２及び背面シート３のガス透過性の内層部３１とガスバリア性の外層部３５との間が易剥離性を有する。このため、弱シール部５の剥離により内容物を混合して揮発性物質を生成し、揮発性物質から揮散したガスが外層部３５の剥離により内層部３１の表面から放出される。これにより、複数の安定性の高い内容物を長期保存して使用時に揮発性物質を形成することができる。従って、揮発性物質の安定性が低い場合であっても揮発性物質の変質を防止することができる。
【００４４】
また、前面シート２及び背面シート３が透明であるので、弱シール部５を剥離した際にＡ剤とＢ剤との混合状態を容易に視認することができる。
【００４５】
また、内層部３１と外層部３５との境界面上に未延伸の樹脂から成る第１剥離層３３及び表面を未処理の延伸樹脂フィルムから成る第２剥離層３６が配される。これにより、内層部３１と外層部３５との境界面（剥離面Ｄ）上の易剥離性及び内層部３１のガス透過性を容易に実現することができる。
【００４６】
また、第１剥離層３３の厚みを７μｍ〜３０μｍにして、密度を０．９１ｇ／ｃｍ3〜０．９３ｇ／ｃｍ3にしている。これにより、内層部３１を介して十分なガスを放出できるとともに、剥離面Ｄ上の易剥離性を有して搬送時等の外層部３５の剥離を防止する所望の接着強度を得ることができる。
【００４７】
また、内層部３１と外層部３５との間の接着強度が０．０５Ｎ／１５ｍｍ〜１．５Ｎ／１５ｍｍであるので、搬送時等の外層部３５の剥離を防止するとともに外層部３５を容易に剥離することができる。
【００４８】
また、前面シート２及び背面シート３のコーナーに剥離用タブ１０が貼着されるので、剥離用タブ１０を摘持して外層部３５を容易に剥離することができる。尚、剥離用タブ１０を前面シート２及び背面シート３の一方のみに設けてもよい。
【００４９】
また、Ａ剤及びＢ剤の少なくとも一方が液状であり、Ａ剤及びＢ剤は混合により芳香性、消臭性または防虫性のガスを揮散する。これにより、Ａ剤及びＢ剤を容易に混合して周囲に芳香性、消臭性または防虫性の雰囲気を形成することができる。
【００５０】
＜第２実施形態＞
次に、図６は第２実施形態の包装袋１の正面図を示している。説明の便宜上、前述の図１〜図５に示す第１実施形態と同様の部分には同一の符号を付している。本実施形態は剥離用タブ１０（図１参照）を省き、強シール部４上にハーフカットＨが設けられる。その他の部分は第１実施形態と同様である。
【００５１】
前面シート２及び背面シート３の一のコーナーには強シール部４を横断するハーフカットＨが設けられる。図７に示すように、ハーフカットＨは前面シート２及び背面シート３を形成する積層体３０の外面から外層部３５を貫通して形成される。
【００５２】
上記と同様に弱シール部５を剥離した後、包装袋１をハーフカットＨ上で折曲することにより手指を外層部３５に掛けて外層部３５を剥離することができる。これにより、Ａ剤とＢ剤とを混合した揮発性物質から揮散されるガスを放出することができる。
【００５３】
本実施形態によると、第１実施形態と同様に複数の安定性の高い内容物を長期保存して使用時に揮発性物質を形成し、揮発性物質の変質を防止することができる。また、前面シート２及び背面シート３のコーナーに強シール部４を横断するハーフカットＨを設けたので、外層部３５を容易に剥離することができる。尚、ハーフカットＨを前面シート２及び背面シート３の一方のみに設けてもよい。
【００５４】
＜第３実施形態＞
次に、図８は第３実施形態の包装袋１の正面図を示している。説明の便宜上、前述の図１〜図５に示す第１実施形態と同様の部分には同一の符号を付している。本実施形態は剥離用タブ１０（図１参照）を省き、突出部２ａが設けられる。その他の部分は第１実施形態と同様である。
【００５５】
前面シート２の一のコーナーには外方に突出する突出部２ａが設けられる。突出部２ａには強シール部４の外側で突出部２ａを横断するハーフカットＨが設けられる。図９に示すように、ハーフカットＨは前面シート２を形成する積層体３０の内面から内層部３１を貫通して形成される。
【００５６】
上記と同様に弱シール部５を剥離した後、突出部２ａを摘持して引くと前面シート２の外層部３５を剥離することができる。これにより、Ａ剤とＢ剤とを混合した揮発性物質から揮散されるガスを放出することができる。
【００５７】
本実施形態によると、第１実施形態と同様に複数の安定性の高い内容物を長期保存して使用時に揮発性物質を形成し、揮発性物質の変質を防止することができる。また、前面シート２がコーナーから突出する突出部２ａを有し、強シール部４の外側で突出部２ａを横断して内面から内層部３１を貫通するハーフカットＨが設けられる。これにより、外層部３５を容易に剥離することができる。尚、前面シート２と同様の突出部２ａを背面シート３にも設けてもよい。
【００５８】
＜第４実施形態＞
次に、第４実施形態について説明する。本実施形態は前面シート２が第１実施形態と同じ積層体３０（図３参照）により形成され、背面シート３が積層体３０と異なる積層体４０（図１０参照）により形成される。その他の部分は第１実施形態と同様である。
【００５９】
図１０は背面シート３を形成する積層体４０の層構成を示す断面図である。説明の便宜上、前述の図３に示す第１実施形態と同様の部分には同一の符号を付している。積層体４０は内面側に内層部３１が配され、内層部３１の外面に外層部３５が積層される。
【００６０】
内層部３１は積層体３０（図３参照）と同様の熱接着性樹脂層３２、第１剥離層３３を積層して形成される。
【００６１】
外層部３５は内面側から順に第２剥離層３６、バリア層３９、基材層３８が積層される。基材層３８はポリエチレンテレフタレート等の樹脂フィルムにより形成され、内面上には印刷により印刷層３８ｂが設けられる。第２剥離層３６は積層体３０（図３参照）と同様に、内面側の表面が未処理の樹脂フィルムから成っている。
【００６２】
バリア層３９はアルミニウム箔等の金属箔により形成される。これにより、対向する一方の前面シート２が透明蒸着膜から成るバリア層３８ａ（図３参照）を有し、他方の背面シート３が金属箔から成るバリア層３９を有する。バリア層３９の両面はドライラミネートによりアクリル系接着剤等の接着層３７を介して基材層３８及び第２剥離層３６に接着される。
【００６３】
本実施形態によると、弱シール部５を剥離した際に透明な前面シート２を介してＡ剤とＢ剤との混合状態を容易に視認することができる。第２、第３実施形態の背面シート３を積層体４０により形成してもよい。
【００６４】
第１〜第４実施形態において、前面シート２及び背面シート３の両方が剥離面Ｄ上で易剥離性を有しているが、一方のみが易剥離性を有してもよい。この時、該一方のみに剥離用タブ１０（図１参照）、突出部２ａ（図８参照）、ハーフカットＨ（図６、図８参照）を設ければよい。
【００６５】
また、包装袋１が２つの収納室（第１、第２収納室６、７）を備えるが、弱シール部５により隔離された３つ以上の収納室を備えていてもよい。
【産業上の利用可能性】
【００６６】
本発明によると、芳香剤、消臭剤、防虫剤等の包装袋に利用することができる。
【符号の説明】
【００６７】
１      包装袋
２      前面シート
２ａ    突出部
３      背面シート
４      強シール部
５      弱シール部
６      第１収納室
７      第２収納室
１０      剥離用タブ
１４      粘着剤
３０、４０  積層体
３１      内層部
３２      熱接着性樹脂層
３３      第１剥離層
３５      外層部
３６      第２剥離層
３７      接着層
３８      基材層
３８ａ、３９  バリア層
３８ｂ    印刷層
Ｄ      剥離面
Ｈ      ハーフカット
【図１】
2019127276.tif 000003
【図２】
2019127276.tif 000004
【図３】
2019127276.tif 000005
【図４】
2019127276.tif 000006
【図５】
2019127276.tif 000007
【図６】
2019127276.tif 000008
【図７】
2019127276.tif 000009
【図８】
2019127276.tif 000010
【図９】
2019127276.tif 000011
【図１０】
2019127276.tif 000012